(57)【要約】    【課題】  画像早送り／早戻しの際に画像の更新時間が長くなることなく、画像認識に必要な時間を確保した見易い画像表示を行う画像再生方法を提供する。    【解決手段】  画像再生方法は、低速早送りモード（または、低速早戻しモード）の場合には、４分割画面による画像表示に移行し（ステップＳ３）、１画像を縮小表示する（ステップＳ５）。所定時間が経過している場合には、次の画像を４分割画面の所定の表示領域に表示する（ステップＳ５）。早送り（または早戻し）が終了した場合には、４分割画面を全画面表示に切り換えて画像を全画面表示して（ステップＳ１３）、本処理を終了する。高速早送りモード（または、高速早戻しモード）の場合には、９分割画面による画像表示に移行して（ステップＳ８）、同様に縮小画像の表示を行う。【選択図】      図７
2005136495.tif 000002
【特許請求の範囲】
【請求項１】
複数の画像が格納されている記憶媒体から画像データを読み出して表示部に画像を表示する画像再生方法において、
前記表示部をＮ個の表示領域に分割する表示部分割ステップと、
前記分割表示ステップにおける縮小画像の表示順を、画像が記録された時系列順に画像を表示する画像送り表示及び当該画像送り表示とは逆の順に画像を表示する画像戻し表示のいずれか一方を選択する表示順選択ステップと、
前記分割数Ｎを選択する分割数選択ステップと、
複数の縮小画像の１つ１つを前記分割表示領域の１つ１つに割り当てて所定の表示時間が経過する毎に順次に更新して表示してゆく分割表示ステップとを有し、
前記順次に更新して表示してゆく縮小画像の１番目の縮小画像が表示されてからＮ番目の縮小画像の表示時間が経過するまでの総時間が分割数Ｎによらず一定時間Ｔであることを特徴とする画像再生方法。
【請求項２】
前記順次に表示してゆく縮小画像の各画像表示時間はＴ／Ｎであることを特徴とする請求項１記載の画像再生方法。
【請求項３】
前記順次に更新して表示してゆく縮小画像のうち、表示の順番が来た縮小画像を表示するための処理が所定時間内に完了しない場合には、当該順番が来た縮小画像の表示を中止して、次の縮小画像を表示することを特徴とする請求項１または２記載の画像再生方法。
【発明の詳細な説明】
【技術分野】
【０００１】
本発明は、複数の画像が格納されている記憶媒体から画像データを読み出して表示部に画像を表示する画像再生方法に関する。
【背景技術】
【０００２】
従来、デジタルカメラ、カメラ一体型VTR（ビデオカメラ）等の画像再生装置では、表示画面に表示している画像を画像送りしたり画像戻ししたりできる。また、画像の表示方法には表示画面を分割し、当該分割した各表示画面に複数の異なる画像を１つずつ割り当てて、これら複数の異なる画像を同時に表示させる分割画面表示（インデックス表示）、記録されている画像を表示画面に順次に表示していく所謂スライドショーによる表示等がある。
【０００３】
上記の画像送りや画像戻しの機能を有するものには、早送り／早戻しといった機能を有するものも多い。この早送り／早戻し機能には、画像更新処理の高速化のためにサムネイル画像で早送り／早戻しを行うものや、複数枚の縮小画像を表示して、早送り／早戻しの終了後に対応する画像データを表示するものがある（例えば、特許文献１）。
【特許文献１】特開２００１−２１１４０８号公報
【発明の開示】
【発明が解決しようとする課題】
【０００４】
しかしながら、早送り／早戻しの際に画像の早送り／早戻し速度が速過ぎて、更新前の再生画像がどのような画像であったか認識しづらいことがあるという問題点や、更新時間が長過ぎて、ストレスを感じてしまうといった問題などがある。
【０００５】
本発明の目的は、画像早送り／早戻しの際に画像の更新時間が長くなることなく、画像認識に必要な時間を確保した見易い画像表示を行う画像再生方法を提供することにある。
【課題を解決するための手段】
【０００６】
上記目的を達成するために、請求項１の画像再生方法は、複数の画像が格納されている記憶媒体から画像データを読み出して表示部に画像を表示する画像再生方法において、前記表示部をＮ個の表示領域に分割する表示部分割ステップと、前記分割表示ステップにおける縮小画像の表示順を、画像が記録された時系列順に画像を表示する画像送り表示及び当該画像送り表示とは逆の順に画像を表示する画像戻し表示のいずれか一方を選択する表示順選択ステップと、前記分割数Ｎを選択する分割数選択ステップと、複数の縮小画像の１つ１つを前記分割表示領域の１つ１つに割り当てて所定の表示時間が経過する毎に順次に更新して表示してゆく分割表示ステップとを有し、前記順次に更新して表示してゆく縮小画像の１番目の縮小画像が表示されてからＮ番目の縮小画像の表示時間が経過するまでの総時間が分割数Ｎによらず一定時間Ｔであることを特徴とする。
【０００７】
請求項２記載の画像再生方法は、請求項１記載の画像再生方法において、前記順次に更新して表示してゆく縮小画像の各画像表示時間はＴ／Ｎであることを特徴とする。
【０００８】
請求項３記載の画像再生方法は、請求項１または２記載の画像再生方法において、前記順次に更新して表示してゆく縮小画像のうち、表示の順番が来た縮小画像を表示するための処理が所定時間内に完了しない場合には、当該順番が来た縮小画像の表示を中止して、次の縮小画像を表示することを特徴とする。
【発明の効果】
【０００９】
請求項１記載の画像再生方法によれば、表示部をＮ個の表示領域に分割して、この分割表示領域の１つ１つに複数の縮小画像の１つ１つを割り当てて所定の表示時間が経過する毎に順次に更新して表示してゆき、表示してゆく縮小画像の１番目の縮小画像が表示されてからＮ番目の縮小画像の表示時間が経過するまでの総時間が分割数Ｎによらず一定時間Ｔとしたので、一定時間Ｔを適宜に設定することによって画像早送り／早戻しの際に画像の更新時間が長くなることなく、かつ、画像認識に必要な時間を確保した見易い画像表示を行うことができる。
【００１０】
請求項２記載の画像再生方法によれば、順次に更新して表示してゆく縮小画像の各画像表示時間はＴ／Ｎであるので、順次に表示される画像の表示時間が一定となり、より見易い画像表示とすることができる。
【００１１】
請求項３記載の画像再生方法によれば、順次に表示してゆく縮小画像のうち、表示の順番が来た縮小画像を表示するための処理が所定時間内に完了しない場合には、当該順番が来た縮小画像の表示を中止して、次の縮小画像を表示するので、縮小画像表示の総時間が長くなることはない。
【発明を実施するための最良の形態】
【００１２】
図１は、本発明の実施の形態に係る画像再生装置の主要部の構成を示すブロック図である。
【００１３】
画像再生装置１０は、例えばデジタルカメラ、カメラ一体型ＶＴＲ（ビデオカメラ）等である。図１において１１は画像データを記憶するための外部メモリであり、脱着式半導体メモリ、ディスクメモリ等である。１２は、外部メモリ１１への画像データの書き込みや外部メモリ１１に記録されている画像データの読み出しの制御を行う外部メモリ制御部である。
【００１４】
１３は、画像再生装置１０のシステム全体を制御するシステム制御部である。１４は、操作者が画像再生装置１０を操作するための操作部である。
【００１５】
１５は、外部メモリ制御部１２からの画像データに基づいて画像再生のための画像データ再生信号を生成する再生信号処理部である。１６は、再生信号処理部１５から受信した画像データ再生信号に基づく画像を表示するビューファインダー（表示部）であり、１７は、再生信号処理部１５から出力された画像データ再生信号を出力するための再生信号出力部である。
【００１６】
操作部１４は、圧力感知機能を備えたボタンを有しており、当該ボタンを半押しするか全押しするかによって機能が異なる。図２に操作部１４の概略を示す。
【００１７】
図２は、図１における操作部の概略図であり、（ａ）は操作部の平面図を示し、（ｂ）は操作部のボタンの操作状態を示す。
【００１８】
（ａ）に示すように、ボタン１４１は、画像が記録された時系列順に画像を早送りするための画像早送りボタンであり、ボタン１４２は早送りとは逆の順に画像を早戻しするための画像早戻しボタンである。これらのボタン１４１，１４２が操作されると、外部メモリ制御部１２が外部メモリ１１に格納されている画像データのサムネイル画像を順次読み出して、ビューファインダー１６に画像表示し、また、画像データ再生信号を映像信号出力部１７から出力することができる。
【００１９】
（ｂ）には、早送りボタン１４１の操作状態が側面図として示されており、左から右に未操作状態Ｘ、半押し状態Ｙ、及び全押し状態Ｚが例示されている。
【００２０】
操作者が操作部１４の早送りボタン１４１を半押しした場合（半押し状態Ｙ）には、システム制御部１３はビューファインダー１６に表示される画像を所定の速度（第１の速度）で早送りする（低速早送りモード）。また、早送りボタン１４１を全押しした場合（全押し状態Ｚ）には、システム制御部１３はビューファインダー１６に表示される画像を低速早送りモードにおける第１の速度よりも速い画像送り速度（第２の速度）で画像を早送りする（高速早送りモード）。
【００２１】
なお、早戻しボタン１４２の操作状態に対応する動作も上記の早送りモードで説明した場合と同様であり、早送りモードとは画像を送る方向が反対になるだけである。従って、早戻しボタン１４２を半押しした場合（半押し状態Ｙ）には、システム制御部１３はビューファインダー１６に表示される画像を所定の速度（第３の速度）で早戻しする（低速早戻しモード）。また、早戻しボタン１４２を全押しした場合（全押し状態Ｚ）には、システム制御部１３はビューファインダー１６に表示される画像を低速早戻しモードにおける第３の速度よりも速い画像戻し速度（第４の速度）で画像を早戻しする（高速早戻しモード）。
【００２２】
低速早送りモードでは、ビューファインダー１６の表示画面あるいは映像信号出力部１７に接続した表示装置（図示せず）の表示画面を４つの表示領域に分割して、この４つの表示領域の１つ１つに異なる画像を表示して画像の早送りをする（４分割画面表示方法）。また、高速早送りモードでは、表示画面を９つの表示領域に分割して、同様に画像の早送りをする（９分割画面表示方法）。
【００２３】
図３は、低速早送りモードにおける４分割画面表示方法を説明する図である。
【００２４】
図２の（ｂ）に示したように、早送りボタン１４１が半押しされると（半押し状態Ｙ）、低速早送りモードになり、ビューファインダー１６の表示画面１６０が４つの表示領域１６１，１６２，１６３，１６４に分割される。
【００２５】
低速早送りモードの間は、これら４つの表示領域１６１，１６２，１６３，１６４には画像Ａ（表示領域１６１）、画像Ｂ（表示領域１６２）、画像Ｃ（表示領域１６３）、画像Ｄ（表示領域１６４）の順に画像の表示を行う。また、低速早戻しモードの間は、低速早送りモードの場合とは逆に画像Ｄ（表示領域１６４）、画像Ｃ（表示領域１６３）、画像Ｂ（表示領域１６２）、画像Ａ（表示領域１６１）の順に画像の表示を行う。
【００２６】
図４は、高速早送りモードにおける９分割画面表示方法を説明する図である。
【００２７】
図２の（ｂ）に示すように、早送りボタン１４１が全押しされると（全押し状態Ｚ）、高速早送りモードになり、ビューファインダー１６の表示画面１６０が９つの表示領域１６１，１６２，１６３，１６４，１６５，１６６，１６７，１６８，１６９に分割される。
【００２８】
高速早送りモードの間は、これら９つの表示領域１６１，１６２，１６３，１６４，１６５，１６６，１６７，１６８，１６９には画像Ａ（表示領域１６１）、画像Ｂ（表示領域１６２）、画像Ｃ（表示領域１６３）、画像Ｄ（表示領域１６４）、画像Ｅ（表示領域１６５）、画像Ｆ（表示領域１６６）、画像Ｇ（表示領域１６７）、画像Ｈ（表示領域１６８）、画像Ｉ（表示領域１６９）の順に表示を行う。また、高速早戻しモードの間は、高速早送りモードの場合とは逆に画像Ｉ（表示領域１６９）、画像Ｈ（表示領域１６８）、画像Ｇ（表示領域１６７）、画像Ｆ（表示領域１６６）、画像Ｅ（表示領域１６５）、画像Ｄ（表示領域１６４）、画像Ｃ（表示領域１６３）、画像Ｂ（表示領域１６２）、画像Ａ（表示領域１６１）の順に表示を行う。
【００２９】
図５は、図３に示す４分割画面表示方法による画像表示の流れを説明する図である。
【００３０】
図５には、９つの画像（１〜９）を低速早送りモードで早送りする場合の例が示されている。表示５０Ａでは、最初の画像１が全画像表示されている。次に表示５１では、図３に示した４分割画面表示に変わって表示領域１６１に縮小画像２（サムネイル画像）が表示される。続く表示５２では、縮小画像２はそのままに更新されて、表示領域１６２に縮小画像３が表示され、次の更新した表示５３ではさらに表示領域１６３に縮小画像４が表示される。続く更新した表示５４では、表示領域１６４に縮小画像５が表示される。ここで、表示５１から５４までが表示される総時間はＴ秒である。従って、４分割画面による表示５１〜５４の各々の表示時間（更新時間）はＴ／４秒である。
【００３１】
次の更新した表示５５では、縮小画像２〜５は消えて、表示領域１６１には新たに縮小画像６が表示される。続く更新した表示５６では、表示領域１６２に縮小画像７が表示され、次の更新した表示５７では表示領域１６３に縮小画像８が表示される。続く更新した表示５８では、表示領域１６４に縮小画像９が表示される。表示５８がＴ／４秒を経過すると、４分割表示が終了して表示５０Ｂでは最後の画像９が全画像表示される。
【００３２】
図６は、図４に示す９分割画面表示方法による画像表示の流れを説明する図である。
【００３３】
図６には、１０の画像（１〜１０）を高速早送りモードで早送りする場合の例が示されている。表示６０Ａでは、最初の画像１が全画像表示されている。次に表示６１では、図４に示した９分割表示に変わって表示領域１６１に縮小画像２が表示される。続く表示６２では、縮小画像２はそのままに、表示領域１６２に縮小画像３が表示され、次の表示６３ではさらに表示領域１６３に縮小画像４が表示される。続く表示６４では、表示領域１６４に縮小画像５が表示される。次の表示６５では、表示領域１６５に縮小画像６が表示される。以下、同様に表示領域１６６から表示領域１６９まで縮小画像７から１０までが順次に表示されて行く。このようにして表示領域１６９に縮小画像１０が表示された後に、９分割表示が終了して表示６０Ｂでは最後の画像１０が全画像表示される。ここで、表示６１から６９までが表示される表示時間は、上記の４分割画面による表示時間と同じＴ秒である。従って、９分割画面による表示６１〜６９の各々の表示時間（更新時間）はＴ／９秒である。表示する画像が１１以上有る場合には、表示６９がＴ／９秒を経過した後に、縮小画像２〜１０は消えて、表示領域１６１に新たな縮小画像１１が表示され（図示せず）、以下、上述のようにＴ／９秒ごとに新たな表示が成される。
【００３４】
図７は、画像再生装置による画像再生表示処理を示すフローチャートである。
【００３５】
先ず、通常の再生時に表示される１つの画像が全画面表示で表示される（ステップＳ１）。次に、早送りボタン１４１（または、早戻しボタン１４２）の状態が半押し状態か全押し状態かを判別する（ステップＳ２）。この結果、低速早送りモード（または、低速早戻しモード）なのか高速早送りモード（または、高速早送りモード）なのかが決定する。
【００３６】
早送りボタン１４１（または、早戻しボタン１４２）が半押し状態である場合には、低速早送りモード（または、低速早戻しモード）であるので、４分割画面による画像表示に移行する（ステップＳ３）。
【００３７】
次に、画像の更新タイミングを制御するためのタイマーをスタートする（ステップＳ４）。ここで、画像の更新タイミングとは、図５に示した４分割画面の表示を次の４分割画面の表示に更新するタイミング、例えば、表示５１から表示５２に更新するタイミング、表示５２から表示５３に更新するタイミングである。すなわち、４分割画面の表示を次の４分割画面の表示に更新するまでの表示時間（更新時間）である。
【００３８】
次に、早送りの場合には表示画像の次の１画像を縮小表示する（ステップＳ５）。これは図５の表示５１である。早戻しの場合には表示画像を１つ遡った画像を縮小表示する。
【００３９】
次に、早送り（または早戻し）が終了したか否かを判別する（ステップＳ６）。この判別は、早送りボタン１４１（または、早戻しボタン１４２）が引き続き押され続けているか否かによって判別する。早送り（または早戻し）が終了していない場合には、上記タイマーがスタートしてから所定時間が経過しているか否かを判別する（ステップＳ７）。所定時間は、低速早送りモードの場合には、上記したようにＴ／４（秒）である。この所定時間Ｔ／４が経過した場合には、ステップＳ４に戻ってタイマーを再スタートさせて、次の画像を４分割画面の所定の表示領域に表示する（ステップＳ５）。これは、図５の表示５２である。
【００４０】
ステップＳ６の判別の結果、早送り（または早戻し）が終了した場合には、４分割画面を全画面表示に切り換えて画像を全画面表示して（ステップＳ１３）、本処理を終了する。
【００４１】
ステップＳ２の判別の結果、早送りボタン１４１（または、早戻しボタン１４２）が全押し状態である場合には、高速早送りモード（または、高速早戻しモード）であるので、９分割画面による画像表示に移行する（ステップＳ８）。
【００４２】
次に、上述したステップＳ４と同様に画像の更新タイミングを制御するためのタイマーをスタートする（ステップＳ９）。次に、早送りの場合には表示画像の次の１画像を縮小表示する（ステップＳ１０）。これは、図６の表示６１である。早戻しの場合には表示画像を１つ遡った画像を縮小表示する。
【００４３】
次に、早送り（または早戻し）が終了したか否かを判別する（ステップＳ１１）。早送り（または早戻し）が終了していない場合には、ステップＳ９でタイマーがスタートしてから所定時間が経過しているか否かを判別する（ステップＳ１２）。高速早送りモードの場合の所定時間は、上記したようにＴ／９（秒）である。この所定時間Ｔ／９が経過した場合には、ステップＳ９に戻ってタイマーを再スタートさせて、次の画像を９分割画面の所定の表示領域に表示する（ステップＳ１０）。これは、図６の表示６２である。
【００４４】
ステップＳ１１の判別の結果、早送り（または早戻し）が終了した場合には、９分割画面を全画面表示に切り換えて画像を全画面表示して（ステップＳ１３）、本処理を終了する。
【００４５】
次に、上述した画像再生方法において、分割画面における各画面表示をするための処理が所定時間内に完了しない場合について説明する。
【００４６】
図８は、４分割画面表示の際の画像表示タイミングを示す図である。図９は、９分割画面表示の際の画像表示タイミングを示す図である。
【００４７】
４分割画面表示における表示５１〜５４までの表示時間、すなわち、４つの表示領域のうち１つめの表示領域に画像を表示してから、４つめの表示領域に画像を表示し終わり、次の画像表示に移行するまでの時間と、９分割画面表示における表示６１〜６９までの表示時間、すなわち、９つの表示領域のうち１つめの表示領域に画像を表示してから、９つめの表示領域に画像を表示し終わり、次の画像表示に移行するまでの時間とは共にＴ秒と一定である。したがって、４分割画面表示における各表示の表示時間はＴ／４秒、９分割画面表示における各表示の表示時間はＴ／９秒である。
【００４８】
図８は、図５を参照しながら説明したように、先ず、表示５０Ａに最初の画像１が全画像表示される。続いて、４分割表示に切り換わり、表示５１では表示領域１６１に縮小画面２が表示される。この表示５１の表示時間はＴ／４秒である。縮小画面２が表示されるとともに表示領域１６２に画像３を表示するための処理を開始するが、処理開始からＴ／４秒後に表示処理が完了していない場合には、画像３の表示領域１６２を空白または表示不能を示す「×」表示等を行い、次の画像表示処理に移行する。
【００４９】
次に、Ｔ／４秒が経過するまでに表示領域１６３に画像４を表示するための処理が完了している場合には、図示したように表示領域１６３に画像４が表示される。同様にして表示領域１６４に画像５が表示される。画像５が表示された後にＴ／４秒が経過する間に画像６を表示するための処理が完了した場合には、表示領域１６１〜１６４までに表示された画像２〜５が消去されて、領域１６１に画像６が表示される。以上のようなタイミングで画像が表示される。
【００５０】
図９は、図６を参照して説明したように、画像表示が９分割表示で行われるものであり、各画像の表示時間がＴ／４秒ではなく、Ｔ／９秒であること以外には図８を参照しながら説明した画像表示と同様に画像表示を行うので、説明を省略する。
【００５１】
図１０は、図７の画像再生表示処理において、Ｎ分割画面における各画面表示が所定時間内に完了しない場合の処理を含むフローチャートである。
【００５２】
図示したフローチャートのステップＳ１０１〜Ｓ１０７までは、図７のフローチャートのステップＳ１〜Ｓ７までと同じであり、ステップＳ１１０〜Ｓ１１４およびＳ１１７は、図７のフローチャートのステップＳ８〜Ｓ１２およびＳ１３と同じである。したがって、本フローチャートは、図７のフローチャートにステップＳ１０８とＳ１０９、及びステップＳＳ１１５とＳ１１６が追加されたものである。以下、図７のフローチャートと重複するステップは適宜に省略し、追加したステップを中心に説明する。
【００５３】
低速送りモード（または、低速早戻しモード）の場合には、４分割画面によって画像が表示され、所定時間のＴ／４秒が経過した時に（ステップＳ１０３〜Ｓ１０７）、次の画像を表示するための画像表示処理が完了しているか否かを判別して（ステップＳ１０８）、画像表示処理が完了している場合にはステップＳ１０４に戻り、タイマーを再スタートさせて、次の画像を４分割画面の所定の標示領域に表示する（ステップＳ１０５）。
【００５４】
ステップＳ１０８の判別の結果、画像表示処理が完了していない場合には、画像表示処理を中止して（ステップＳ１０９）、ステップＳ１０４に戻る。ステップＳ１０９の結果、例えば、図８の表示５２に示すように画像を表示するために実行されていた画像表示処理が中止された画像は表示領域１６２に表示されずに、次の表示５３に表示するための画像表示処理が実行される。この画像表示処理がＴ／４秒の間に完了した場合には表示５３に示すように表示領域１６３に画像４が表示される。
【００５５】
高速送りモード（または、高速早戻しモード）の場合には、９分割画面によって画像が表示され、所定時間のＴ／９秒が経過した時に（ステップＳ１１０〜Ｓ１１４）、次の画像を表示するための画像表示処理が完了しているか否かを判別して（ステップＳ１１５）、画像表示処理が完了している場合にはステップＳ１１１に戻り、タイマーを再スタートさせて、次の画像を９分割画面の所定の表示領域に表示する（ステップＳ１１２）。
【００５６】
ステップＳ１１５の判別の結果、画像表示処理が完了していない場合には、画像表示処理を中止して（ステップＳ１１６）、ステップＳ１１１に戻る。ステップＳ１１６の結果、例えば、図９の表示６３に示すように画像を表示するために実行されていた画像表示処理が中止された画像は表示領域１６３に表示されずに、次の表示６４に表示するための画像表示処理が実行される。この画像表示処理がＴ／９秒の間に完了した場合には表示６４に示すように表示領域１６４に画像５が表示される。
【００５７】
以上、表示画面を４分割又は９分割にして画像の早送り／早戻しを行う場合について説明したが、分割数は上述した例に限らず２以上の自然数Ｎの中から適宜に選択して実施することができる。
【００５８】
また、画像の表示の総時間はＴ秒のままで、各縮小画像の表示時間（更新時間）を同一にするのではなく、順番が後になるほど長くなるようにしてもよい。
【図面の簡単な説明】
【００５９】
【図１】本発明の実施の形態に係る画像再生装置の主要部の構成を示すブロック図である。
【図２】図１における操作部の概略図であり、（ａ）は操作部の平面図を示し、（ｂ）は操作部のボタンの操作状態を示す。
【図３】低速早送りモードにおける４分割画面表示方法を説明する図である。
【図４】高速早送りモードにおける９分割画面表示方法を説明する図である。
【図５】図３に示す４分割画面表示方法による画像表示の流れを説明する図である。
【図６】図４に示す９分割画面表示方法による画像表示の流れを説明する図である。
【図７】画像再生装置による画像再生表示処理を示すフローチャートである。
【図８】４分割画面表示の際の画像表示タイミングを示す図である。
【図９】９分割画面表示の際の画像表示タイミングを示す図である。
【図１０】図７の画像再生表示処理において、Ｎ分割画面における各画面表示が所定時間内に完了しない場合の処理を含むフローチャートである。
【符号の説明】
【００６０】
１，２，３，４，５，６，７，８，９  縮小画像
１１  外部メモリ
１２  外部メモリ制御部
１３  システム制御部
１５  再生信号処理部
１６  ビューファインダー
１６１，１６２，１６３，１６４，１６５，１６６，１６７，１６８，１６９  表示領域
Ｙ  半押し状態
Ｚ  全押し状態
【図１】
2005136495.tif 000003
【図２】
2005136495.tif 000004
【図３】
2005136495.tif 000005
【図４】
2005136495.tif 000006
【図５】
2005136495.tif 000007
【図６】
2005136495.tif 000008
【図７】
2005136495.tif 000009
【図８】
2005136495.tif 000010
【図９】
2005136495.tif 000011
【図１０】
2005136495.tif 000012